(57)【要約】【課題】装置の複雑化や高価格化を招くことなく、操作性の優れた情報表示装置を提供する。【解決手段】画像を表示する表示パネルと、表示パネルを搖動可能に支持する筐体と、表示パネルが搖動されることにより電路を開閉するスイッチ部材と、有する。【選択図】図３
2009217575.tif 000002
【特許請求の範囲】
【請求項１】
画像を表示する表示パネルと、
前記表示パネルを搖動可能に支持する筐体と、
前記表示パネルが搖動されることにより電路を開閉するスイッチ部材と、を有することを特徴とする情報表示装置。
【請求項２】
前記筐体は、前記表示パネルを搖動可能に支持する支持部材を有し、
前記支持部材は、弾性体であることを特徴とする請求項１に記載の情報表示装置。
【請求項３】
前記スイッチ部材は、前記筐体に固定された所定の部材と前記表示パネルとのそれぞれに配置された電気切片を有し、
それぞれの前記電気切片は、前記表示パネルが搖動されることにより接離することを特徴とする請求項１または２に記載の情報表示装置。
【請求項４】
前記筐体に固定された所定の部材または前記表示パネルの何れか一方には、前記スイッチ部材が配置され、他方には、前記表示パネルが搖動されることにより前記スイッチ部材に当接し、該スイッチ部材を作動させる当接部材が配置されることを特徴とする請求項１または２に記載の情報表示装置。
【請求項５】
画面に表示される画像のスクロール及び全画面分であるページ単位のスクロール、またはその何れかを行うスクロール制御部を有し、
前記スクロール制御部は、前記スイッチ部材の開閉状態に基づいて前記画像をスクロールまたはページ単位でスクロールすることを特徴とする請求項１乃至４の何れか１項に記載の情報表示装置。
【請求項６】
複数の前記スイッチ部材を備え、
前記スクロール制御部は、複数の前記スイッチ部材の開閉状態に基づいて、画像をスクロールまたはページ単位でスクロールする方向を設定することを特徴とする請求項５に記載の情報表示装置。
【請求項７】
前記筐体に固定された所定の部材は、前記表示パネルの歪を規制する規制部材を有することを特徴とする請求項１乃至６の何れかに記載の情報表示装置。
【発明の詳細な説明】
【技術分野】
【０００１】
本発明は、情報入力表示装置に関し、特に、液晶等の表示媒体を用いて文字、画像等の情報を表示する情報表示装置に関する。
【背景技術】
【０００２】
近年、液晶や有機ＥＬ、またメモリ性を有する所謂電子ペーパと称される表示媒体等に代表される表示素子や表示技術の進展に伴い、書籍を電子化した所謂電子ブックと称される情報表示装置が種々検討されている。このような情報表示装置は、電子化した書籍情報を携帯型の表示装置で読むことができるようにすることで重たい紙の書籍の持ち運びを不要にした。そして電子情報である為、検索も容易で、他の情報とのリンクや再利用も可能であるという大きな利便性を与えることができる。
【０００３】
ところで、この種の情報表示装置では、読書を行う場合、書籍に較べると表示面積が少ない表示装置を手に持って、スクロールやページ送りと称される表示の送りをする為の操作を行う必要があった。そして、このような操作は、通常、装置の筐体に設けられた各種操作ボタンや画面の上に配置されたタッチパネル等を操作することによって行われていた。
【０００４】
しかしながら、ページ送りを各種操作ボタンを用いて行う場合は、煩わしい操作を必要とされることから従来の紙による読書よりも読者にストレスと疲労を与えるという問題があった。また、タッチパネルの場合は、タッチパネルの光の透過率の影響により画像の視認性が低下するという問題があった。そこでこのような問題に対応する為に、種々の装置が検討されている。
【０００５】
例えば、指の動きを検出して制御する近接制御装置を表示装置本体と別体にして設け、表示装置本体に指令を送信することによって、表示情報のスクロール操作を自然に行えるようにした表示装置が知られている（特許文献１参照）。
【０００６】
また、手のひら上で操作される小型電子機器の本体ケースの表面に表示装置を設け、本体ケースの裏面の人指し指の移動可動範囲にタッチパッド装置を配置し、また本体ケースの側面に機械式の操作装置を備えた構成とし、電子機器を片手で持つと、その手の親指及び人指し指でのスクロール操作等を可能とした小型電子機器が知られている（特許文献２参照）。
【０００７】
また、可撓性を有する表示パネルと、表示パネルを保持する可撓性を有する筐体と、筐体の曲げ応力を検出する為の圧力センサとを備えた構成とし、筐体が曲げられると、圧力センサがこれを検出し、表示パネルに表示されているコンテンツのページを進めるようにした情報表示装置が知られている（特許文献３参照）。
【特許文献１】特開２００２−３１２０９４号公報
【特許文献２】特開２００２−３１８６４０号公報
【特許文献３】特開２００３−１５７９５号公報
【発明の開示】
【発明が解決しようとする課題】
【０００８】
しかしながら、特許文献１に開示されている表示装置においては、指の動きに基づいた検出出力を出力するセンサと、該センサの検出出力に基づいて表示装置への制御指令を形成し該制御指令をワイヤレス信号で送信せしめる近接制御装置と、を要する構成である。この為、部品点数の増加による、装置の複雑化と高価格化を招くといった問題がある。
【０００９】
また、特許文献２に開示されている表示装置においては、タッチパッドや機械式の操作装置を要する構成である。この為、特許文献１の場合と同様に、部品点数の増加による、装置の複雑化と高価格化を招くといった問題がある。
【００１０】
また、特許文献３に開示されている表示装置においては、表示パネルとしては、紙のようにフレキシブルな電子ペーパのような表示素子しか用いることができないといった問題がある。また、筐体を曲げる為には、両手で筐体を保持する必要があり、操作性を損なうといった問題がある。
【００１１】
本発明は、上記課題を鑑みてなされたもので、装置の複雑化や高価格化を招くことなく、操作性の優れた情報表示装置を提供することを目的とする。
【課題を解決するための手段】
【００１２】
上記目的は、下記の１乃至７の何れか１項に記載の発明によって達成される。
【００１３】
１．画像を表示する表示パネルと、
前記表示パネルを搖動可能に支持する筐体と、
前記表示パネルが搖動されることにより電路を開閉するスイッチ部材と、を有することを特徴とする情報表示装置。
【００１４】
２．前記筐体は、前記表示パネルを搖動可能に支持する支持部材を有し、
前記支持部材は、弾性体であることを特徴とする前記１に記載の情報表示装置。
【００１５】
３．前記スイッチ部材は、前記筐体に固定された所定の部材と前記表示パネルとのそれぞれに配置された電気切片を有し、
それぞれの前記電気切片は、前記表示パネルが搖動されることにより接離することを特徴とする前記１または２に記載の情報表示装置。
【００１６】
４．前記筐体に固定された所定の部材または前記表示パネルの何れか一方には、前記スイッチ部材が配置され、他方には、前記表示パネルが搖動されることにより前記スイッチ部材に当接し、該スイッチ部材を作動させる当接部材が配置されることを特徴とする前記１または２に記載の情報表示装置。
【００１７】
５．画面に表示される画像のスクロール及び全画面分であるページ単位のスクロール、またはその何れかを行うスクロール制御部を有し、
前記スクロール制御部は、前記スイッチ部材の開閉状態に基づいて前記画像をスクロールまたはページ単位でスクロールすることを特徴とする前記１乃至４の何れか１項に記載の情報表示装置。
【００１８】
６．複数の前記スイッチ部材を備え、
前記スクロール制御部は、複数の前記スイッチ部材の開閉状態に基づいて、画像をスクロールまたはページ単位でスクロールする方向を設定することを特徴とする前記５に記載の情報表示装置。
【００１９】
７．前記筐体に固定された所定の部材は、前記表示パネルの歪を規制する規制部材を有することを特徴とする前記１乃至６の何れかに記載の情報表示装置。
【発明の効果】
【００２０】
本発明によれば、画像を表示する表示パネルと、表示パネルを搖動可能に支持する筐体と、表示パネルが搖動されることにより電路を開閉するスイッチ部材と、有する構成とした。従って、例えば、筐体を片手で保持し、前後左右に揺れ動かすことにより電路を開閉するスイッチ部材の信号を用いて、スクロールやページ送り等の操作を行うことができる。これにより、読者は、読書の妨げになる煩わしい操作を行うことなく、書籍を読書するのと同じ感覚の直感的な操作でスクロールやページ送り等を行うことができ、優れた操作性を実現することができる。
【発明を実施するための最良の形態】
【００２１】
以下図面に基づいて、本発明に係る情報表示装置の実施の形態を説明する。尚、本発明を図示の実施の形態に基づいて説明するが、本発明は該実施の形態に限られない。
【００２２】
最初に、本発明の実施形態に係る情報表示装置１の外観を図１を用いて説明する。図１は、本発明の実施形態に係る情報表示装置１の外観を示す正面図である。
【００２３】
情報表示装置１の正面には、図１に示すように、ＬＣＤや有機ＥＬ、またはメモリ性を有する所謂電子ペーパと称される表示媒体等から構成される表示パネル３０１、電源スイッチ３１８、及び各種操作・設定を行う十字キー３１９等が設けられている。
【００２４】
情報表示装置１は、図示しないメモリカードに格納されている文書情報や通信ネットワークを介して外部のサーバ、情報端末等から受信した文書情報等に基づいた画像を表示する携帯情報端末である。
【００２５】
次に、情報表示装置１の要部構成を図２を用いて説明する。図２は、情報表示装置１の概略構成を示すブロック図である。
【００２６】
図２に示すように、情報表示装置１は、表示パネル３０１、表示制御部３０２、ＶＲＡＭ３０３、搖動検出スイッチ３０５、ＣＰＵ３１１、ＦｌａｓｈＲＯＭ３１２、ＳＤＲＡＭ３１３、通信部３１４、外部Ｉ／Ｆ３１５、操作部３１７、及び電池３２１等を有する。
【００２７】
表示パネル３０１は、ＬＣＤや有機ＥＬ、またはメモリ性を有する所謂電子ペーパと称される表示媒体等から構成される。表示部パネル３０１は、図示しないメモリカードに格納されている文書情報や通信ネットワークを介して外部のサーバ、情報端末等から受信した文書情報等に基づいた画像を表示する。また、表示パネル３０１は、後述の筐体１１に搖動可能に支持されている。尚、表示パネル３０１の搖動機構の詳細は後述する。
【００２８】
表示制御部３０２は、表示パネル３０１で行われる表示動作を制御する。
【００２９】
ＶＲＡＭ（Ｖｉｄｅｏ  ＲＡＭ）３０３は、表示パネル３０１の画素数に対応した画像データの記録容量を有し、表示パネル３０１に再生表示される画像を構成する画像データのバッファメモリである。
【００３０】
搖動検出スイッチ３０５は、表示パネル３０１が搖動されることにより電路を開閉するスイッチである。尚、搖動検出スイッチ３０５の構成の詳細は後述する。
【００３１】
ＣＰＵ（中央演算処理装置）３１１は、操作部３１７からの信号を受けて、表示動作や画像信号処理、及び図示しない外部のサーバ、情報端末等との間で行われる情報の送受信動作を統括的に制御する。また、ＣＰＵ３１１は、図示しないメモリカードに格納されている文書情報や通信ネットワークを介して外部のサーバ、情報端末等から受信した文書情報等に基づいた画像データを生成し表示制御部３０２を介して表示パネル３０１に出力する。また、ＣＰＵ３１１は、本発明におけるスクロール制御部に該当し、搖動検出スイッチ３０５の検出結果に基づいて表示パネル３０１に表示される画像のスクロールやページ送り等を行う。尚、スクロールやページ送り動作の詳細は後述する。
【００３２】
ＦｌａｓｈＲＯＭ（Ｆｌａｓｈ  Ｒｅａｄ  Ｏｎｌｙ  Ｍｅｍｏｒｙ）３１２は、ＣＰＵ３１１で実行される各種制御プログラム等を格納する。
【００３３】
ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）３１３は、演算処理や制御処理等の作業データを一時的に格納する。
【００３４】
通信部３１４は、図示しない外部のサーバ、情報端末等との間で情報を無線で送受信する。通信部３１４の無線通信手段としては、ＢｌｕｅｔｏｏｔｈやワイヤレスＵＳＢ、また、赤外線等を用いた低消費電力型のデバイスが好適である。
【００３５】
外部Ｉ／Ｆ３１５は、例えば、ＳＤメモリカード等の外部メモリとのインターフェースである。
【００３６】
操作部３１７は、電源スイッチ３１８や各種操作・設定を行う十字キー３１９等を備えたスイッチ群である。
【００３７】
電池３２１は、情報表示装置１の駆動用電源である。
【００３８】
尚、図２中、破線で示す矢印は、ＣＰＵ３１１がスリープ状態の時に、搖動検出スイッチ３０５により起こされる制御経路を示す。
【００３９】
ここで、表示パネル３０１の搖動機構、及び搖動検出スイッチ３０５の構成を図３乃至図５を用いて説明する。
【００４０】
図３に、一例による表示パネル３０１の搖動機構、及び搖動検出スイッチ３０５の構成を示す。図３（ａ）は、情報表示装置１の内部の要部構成を正面斜め上方から見た図、図３（ｂ）は、正面断面図である。
【００４１】
図３（ａ）、図３（ｂ）に示すように、表示パネル３０１の周縁部と筐体１１の間には所定の幅の隙間が設けられた状態で、表示パネル３０１は、筐体１１の４隅（前方の２隅は不図示）にそれぞれ設けられた支持部材１３によって吊下げられている。これにより、表示パネル３０１は、前後左右に搖動可能となっている。支持部材１３としては、スプリングやゴム等の弾性体を用いることができる。
【００４２】
スプリングを用いた場合、搖動動作を行った後、スプリングの復元力と作用、反作用により、高周波での振動が発生し、振動が減衰するまでの間、読者の目には、ちらつきが発生し読書の妨げとなる。そのため、衝撃吸収材であるウレタン等をスプリングに巻く。また、ゴムを用いる場合は、振動や衝撃吸収用の防振ゴム、制振ゴムが好適である。
【００４３】
また、表示パネル３０１が支持部材１３によって吊下げられて浮いた状態では、支持部材１３の応力により、表示パネル３０１が歪み、表示ムラが発生する場合がある。そこで、図４に示すように、回路基板１２の表示パネル３０１に対抗する面、または、筐体１１の内部に、表示パネル３０１の歪を規制する突起状の規制部材２０を配置してもよい。この場合、表示パネル３０１の搖動の妨げにならないように、規制部材２０としては摩擦係数の低い材料を用い、さらに、表示パネル３０１との接触面積を小さくする。
【００４４】
図３（ｂ）に戻って、回路基板１２の上面の左端近傍には電気切片１６Ｌが、また、表示パネル３０１の回路基板１２に対向する面には電気切片１６Ｌと所定の相対位置関係にある電気切片１５Ｌが配置されている。同様に、回路基板１２の上面の右端近傍には電気切片１６Ｒが、また、表示パネル３０１には電気切片１５Ｒが配置されている。これら一対の電気切片１６Ｌ、電気切片１５Ｌ、また電気切片１６Ｒ、電気切片１５Ｒは、それぞれ前述の搖動検出スイッチ３０５を構成し、表示パネル３０１が搖動されることにより接離する。例えば、図３（ｂ）において、表示パネル３０１が紙面の右方向に揺れると電気切片１６Ｒと電気切片１５Ｒが接触する。ＣＰＵ３１１は、この信号により表示パネル３０１に表示される画像を右方向にスクロールさせる。同様に、表示パネル３０１が紙面の左方向に揺れると電気切片１６Ｌと電気切片１５Ｌが接触する。ＣＰＵ３１１は、この信号により表示パネル３０１に表示される画像を左方向にスクロールさせる。または、ページ送りを行う。尚、電気切片１６及び電気切片１５は、本発明におけるスイッチ部材に該当するものである。
【００４５】
尚、本実施形態においては、一対の電気切片を表示パネル３０１の左右方向にそれぞれ設けたが、さらに、表示パネル３０１の前後方向にもそれぞれ設ける構成として、表示パネル３０１に表示される画像を左右のみならず上下方向にもスクロール、またはページ送りするようにしてもよい。
【００４６】
図５に別例による搖動検出スイッチ３０５の構成を示す。回路基板１２の上面の左端近傍には接触式のタクタイルスイッチ１８Ｌが、また、表示パネル３０１の回路基板１２に対向する面にはタクタイルスイッチ１８Ｌと所定の相対位置関係にある当接部材１７Ｌが配置されている。同様に、回路基板１２の上面の右端近傍にはタクタイルスイッチ１８Ｒが、また、表示パネル３０１には当接部材１７Ｒが配置されている。これら一対のタクタイルスイッチ１８Ｌ、当接部材１７Ｌ、またタクタイルスイッチ１８Ｒ、当接部材１７Ｒは、それぞれ前述の搖動検出スイッチ３０５を構成し、表示パネル３０１が搖動されることにより、当接部材１７Ｌがタクタイルスイッチ１８Ｌ、または当接部材１７Ｒがタクタイルスイッチ１８Ｒに当接し、タクタイルスイッチ１８Ｌ、またはタクタイルスイッチ１８Ｒが作動する。ＣＰＵ３１１は、これらのタクタイルスイッチ１８Ｌ、タクタイルスイッチ１８Ｒからの作動信号により表示パネル３０１に表示される画像を左右方向にスクロールさせる。または、ページ送りを行う。尚、タクタイルスイッチ１８及び当接部材１７は、本発明におけるスイッチ部材に該当するものである。
【００４７】
このように、本発明に係わる情報表示装置１においては、画像を表示する表示パネル３０１と、表示パネル３０１を搖動可能に支持する筐体１２と、表示パネル３０１が搖動されることにより電路を開閉するスイッチ部材（電気切片１５、１６またはタクタイルスイッチ１８及び当接部材１７）と、有する構成とした。従って、例えば、筐体１２を片手で保持し、前後左右に揺れ動かすことにより電路を開閉するスイッチ部材の信号を用いて、スクロールやページ送り等の操作を行うことができる。これにより、読者は、読書の妨げになる煩わしい操作を行うことなく、書籍を読書するのと同じ感覚の直感的な操作でスクロールやページ送り等を行うことができ、優れた操作性を実現することができる。
【図面の簡単な説明】
【００４８】
【図１】本発明の実施形態に係る情報表示装置の外観を示す正面図である。
【図２】情報表示装置の概略構成を示すブロック図である。
【図３】表示パネルの搖動機構及び搖動検出スイッチ構成の一例を示す図である。
【図４】表示パネルの歪を規制する機構を示す図である。
【図５】搖動検出スイッチ構成の別例を示す図である。
【符号の説明】
【００４９】
１  情報表示装置
１１  筐体
１２  回路基板
１３  支持部材
１５、１６  電気切片
１７  当接部材
１８  タクタイルスイッチ
２０  規制部材
３０１  表示パネル
３０２  表示制御部
３０３  ＶＲＡＭ
３０５  搖動検出スイッチ
３１１  ＣＰＵ
３１２  ＦｌａｓｈＲＯＭ
３１３  ＳＤＲＡＭ
３１４  通信部
３１５  外部Ｉ／Ｆ
３１７  操作部
３１８  電源スイッチ
３１９  十字キー
３２１  電池
【図１】
2009217575.tif 000003
【図２】
2009217575.tif 000004
【図３】
2009217575.tif 000005
【図４】
2009217575.tif 000006
【図５】
2009217575.tif 000007